(57)【要約】      （修正有）【課題】キーボードに収納可能な支持装置及びこの支持装置を有するキーボードを提供する。【解決手段】本支持装置１は、底板１０と、第一支持部材１２と、第二支持部材１４と、第三支持部材１６とを有する。底板は第一収容空間１００を有する。第一支持部材は底板に枢着され、第一支持部材は第二収容空間１２０を有する。第二支持部材は底板に枢着され、第三支持部材は第一支持部材又は底板に枢着される。支持装置が収納状態にある場合、第一支持部材は第一収容空間に収容され、第二支持部材は第二収容空間に収容される。支持装置が展開状態にある場合、第一支持部材と第二支持部材は夾角を形成して電子装置を支持し、第三支持部材は第一支持部材を底板上に支持する。【選択図】図１
0003165508.tif 000002
【実用新案登録請求の範囲】
【請求項１】
支持装置であって、
第一収容空間を有する底板と、
前記底板に枢着され、第二収容空間を有する第一支持部材と、
前記底板に枢着される第二支持部材と、
前記第一支持部材又は前記底板に枢着される第三支持部材と、を含み、
前記支持装置が収納状態になる場合、前記第一支持部材は前記第一収容空間に収容され、前記第二支持部材は前記第二収容空間に収容され、
前記支持装置が展開状態になる場合、前記第一支持部材と前記第二支持部材は夾角を形成して電子装置を支持し、前記第三支持部材は前記第一支持部材を前記底板上に支持することを特徴とする支持装置。
【請求項２】
前記底板は、前記底板に対する前記第二支持装置の回転角度を制限するストッパーを有することを特徴とする請求項１に記載の支持装置。
【請求項３】
前記第三支持部材は前記第一支持部材に枢着され、前記底板は複数の位置決め槽を有し、前記第三支持部材の一端は選択的に前記複数の位置決め槽の内のいずれか一つに係合されて、前記第三支持部材の前記第一支持部材に対する回転角度を調整し、更に前記第一支持部材の前記底板に対する回転角度を調整することを特徴とする請求項１に記載の支持装置。
【請求項４】
前記第三支持部材は前記底板に枢着され、前記第一支持部材は複数の位置決め槽を有し、前記第三支持部材の一端は選択的に前記複数の位置決め槽の内のいずれか一つに係合されて、前記第三支持部材の前記底板に対する回転角度を調整し、更に前記第一支持部材の前記底板に対する回転角度を調整することを特徴とする請求項１に記載の支持装置。
【請求項５】
前記第一支持部材は滑り槽を有し、前記支持装置は更に第四支持部材を含み、前記第四支持部材はスライド可能に前記滑り槽に設けられることを特徴とする請求項１に記載の支持装置。
【請求項６】
前記第四支持部材は第一定位槽と第二定位槽を有し、前記滑り槽は定位部を有し、前記定位部は選択的に前記第一定位槽又は前記第二定位槽に係合されて、前記第四支持部材を前記滑り槽に位置決めすることを特徴とする請求項５に記載の支持装置。
【請求項７】
更に、弾性部材を含み、前記弾性部材の一端は前記第一支持部材に連結され、他端は前記第二支持部材に連結されることを特徴とする請求項１に記載の支持装置。
【請求項８】
前記弾性部材はねじりばねであることを特徴とする請求項７に記載の支持装置。
【請求項９】
前記第一支持部材の両側にはそれぞれ第一突出部及び第二突出部を有し、前記第三支持部材の回転中、前記第一突出部と前記第二突出部は前記第三支持部材を外側へ突っ張って、前記第三支持部材に弾性的な回復力を生じさせ、前記第三支持部材が戻るようにすることを特徴とする請求項１に記載の支持装置。
【請求項１０】
キーボードであって、
開口を有するケーシングと、
前記ケーシングに設けられた複数のキーと、
前記開口に移動可能に設けられた支持装置と、を含み、
前記支持装置は、
第一収容空間を有する底板と、
前記底板に枢着され、第二収容空間を有する第一支持部材と、
前記底板に枢着される第二支持部材と、
前記第一支持部材又は前記底板に枢着される第三支持部材と、を含み、
前記支持装置が収納状態になる場合、前記第一支持部材は前記第一収容空間に収容され、前記第二支持部材は前記第二収容空間に収容され、
前記支持装置が展開状態になる場合、前記第一支持部材と前記第二支持部材は夾角を形成して電子装置を支持し、前記第三支持部材は前記第一支持部材を前記底板上に支持することを特徴とするキーボード。
【請求項１１】
前記ケーシングは第一部ケーシングと第二部ケーシングを有し、前記第一部ケーシングは前記第二部ケーシングに枢着され、前記開口は選択的に前記第一部ケーシング又は前記第二部ケーシングに形成されることを特徴とする請求項１０に記載のキーボード。
【請求項１２】
前記底板は、前記底板に対する前記第二支持装置の回転角度を制限するストッパーを有することを特徴とする請求項１０に記載のキーボード。
【請求項１３】
前記第三支持部材は前記第一支持部材に枢着され、前記底板は複数の位置決め槽を有し、前記第三支持部材の一端は選択的に前記複数の位置決め槽の内のいずれか一つに係合されて、前記第三支持部材の前記第一支持部材に対する回転角度を調整し、更に前記第一支持部材の前記底板に対する回転角度を調整することを特徴とする請求項１０に記載のキーボード。
【請求項１４】
前記第三支持部材は前記底板に枢着され、前記第一支持部材は複数の位置決め槽を有し、前記第三支持部材の一端は選択的に前記複数の位置決め槽の内のいずれか一つに係合されて、前記第三支持部材の前記底板に対する回転角度を調整し、更に前記第一支持部材の前記底板に対する回転角度を調整することを特徴とする請求項１０に記載のキーボード。
【請求項１５】
前記第一支持部材は滑り槽を有し、前記支持装置は更に第四支持部材を含み、前記第四支持部材はスライド可能に前記滑り槽に設けられることを特徴とする請求項１０に記載のキーボード。
【請求項１６】
前記第四支持部材は第一定位槽と第二定位槽を有し、前記滑り槽は定位部を有し、前記定位部は選択的に前記第一定位槽又は前記第二定位槽に係合されて、前記第四支持部材を前記滑り槽に位置決めすることを特徴とする請求項１５に記載のキーボード。
【請求項１７】
前記支持装置は更に弾性部材を含み、前記弾性部材の一端は前記第一支持部材に連結され、他端は前記第二支持部材に連結されることを特徴とする請求項１０に記載のキーボード。
【請求項１８】
前記弾性部材はねじりばねであることを特徴とする請求項１７に記載のキーボード。
【請求項１９】
前記第一支持部材の両側にはそれぞれ第一突出部及び第二突出部を有し、前記第三支持部材の回転中、前記第一突出部と前記第二突出部は前記第三支持部材を外側へ突っ張って、前記第三支持部材に弾性的な回復力を生じさせ、前記第三支持部材が戻るようにすることを特徴とする請求項１０に記載のキーボード。
【考案の詳細な説明】
【技術分野】
【０００１】
本考案は支持装置に関し、特に、キーボードに収納される支持装置に関する。
【背景技術】
【０００２】
近年、キーボードの発展に伴い、キーボードは徐々に個人用携帯情報端末（Personal  Digital  Assistant,  PDA）、タブレットＰＣ、電子書籍などのような携帯型電子装置に用いられることになった。上記のような電子装置は体積が小さいため、実際の使用において、ほとんどは携帯型電子装置にキーボードを連結する外部接続ポートを設け、ユーザーがキーボードを使用するようにした。
【０００３】
しかし、従来のキーボードには、携帯型電子装置のために特別に設置した支持装置がないため、使用時に、いつも他の補助的な器具を用いて携帯型電子装置とユーザーの間の適合な角度を保持する必要があり、使用上不便であった。また、使用しない場合は、この補助的な器具を収納するスペースが必要であるため、スペースの無駄を招くこともある。
【考案の概要】
【考案が解決しようとする課題】
【０００４】
本考案は、キーボードに収納可能な支持装置及びこの支持装置を有するキーボードを提供することを目的とする。
【課題を解決するための手段】
【０００５】
本考案の実施例による支持装置は、底板と、第一支持部材と、第二支持部材と、第三支持部材とを有する。底板は第一収容空間を有する。第一支持部材は底板に枢着され、第一支持部材は第二収容空間を有する。第二支持部材は底板に枢着され、第三支持部材は第一支持部材又は底板に枢着される。支持装置が収納状態になる場合、第一支持部材は第一収容空間に収容され、第二支持部材は第二収容空間に収容される。支持装置が展開状態になる場合、第一支持部材と第二支持部材は夾角を形成して電子装置を支持し、第三支持部材は第一支持部材を底板上に支持する。
【０００６】
別の実施例において、本考案のキーボードは、ケーシング、複数のキー及び支持装置を有する。ケーシングは開口を有し、複数のキーはケーシングに設けられる。支持装置は開口内に移動可能に設けられ、支持装置は底板と、第一支持部材と、第二支持部材と、第三支持部材とを有する。底板は第一収容空間を有する。第一支持部材は底板に枢着され、第一支持部材は第二収容空間を有する。第二支持部材は底板に枢着され、第三支持部材は第一支持部材又は底板に枢着される。支持装置が収納状態にある場合、第一支持部材は第一収容空間に収容され、第二支持部材は第二収容空間に収容される。支持装置が展開状態になる場合、第一支持部材と第二支持部材は夾角を形成して電子装置を支持し、第三支持部材は第一支持部材を底板上に支持する。
【考案の効果】
【０００７】
上述のように、本考案は支持装置を利用して携帯型電子装置を支持し、携帯型電子装置とキーボードを組み合わせて使用する場合、別の補助器具を必要せずに、携帯型電子装置とユーザーが適切な角度を取るようにすることができる。同時に、支持部材と収容空間の設置関係を利用して、使用しない場合は、支持装置をケーシングにある開口からキーボードに収納することができる。
【０００８】
本考案の利点及び思想は、以下の説明及び図面によって更に明らかになる。
【図面の簡単な説明】
【０００９】
【図１】本考案の実施例による支持装置の展開状態を示す図である。
【図２】図１における第一支持部材と第四支持部材の分解図である。
【図３】図１における第一支持部材と第四支持部材の他の視点から見た分解図である。
【図４】図１における第四支持部材が第一支持部材に対して収容位置に位置した状態を示す図である。
【図５】図１における支持装置の側面図である。
【図６】図１における支持装置の収納状態を示す図である。
【図７】本考案の別の実施例による支持装置の側面図である。
【図８】本考案の実施例による支持装置がキーボードに収納された状態を示す図である。
【図９】図８における支持装置のキーボードに対する展開状態を示す図である。
【考案を実施するための形態】
【００１０】
図１を参照するに、図１は本考案の実施例による支持装置１の展開状態を示す図である。図１に示されているように、支持装置１は底板１０と、第一支持部材１２と、第二支持部材１４と、第三支持部材１６と、弾性部材１８と、第四支持部材２０とを備える。第一支持部材１２と第二支持部材１４は底板１０に枢着され（pivoting）、第三支持部材１６は第一支持部材１２に枢着される。弾性部材１８の一端は第一支持部材１２に連結され、他端は第二支持部材１４に連結される。第一支持部材１２は滑り槽１２２を有し、第四支持部材２０はスライド可能に滑り槽１２２に設けられる。
【００１１】
図１に示されているように、支持装置１の展開状態において、第一支持部材１２と第二支持部材１４は夾角を形成し、第三支持部材１６は第一支持部材１２を底板１０上に支持する。この場合、第四支持部材２０は滑り槽１２２の中でスライドすることができ、第一支持部材１２に対して展開位置又は収容位置に位置する。図１において、第四支持部材２０は第一支持部材１２に対して展開位置に位置する。
【００１２】
実際の使用において、弾性部材１８はねじりばねである。第二支持部材１４が外力により底板１０に対して時計方向ＣＷに回転する場合、ねじりばねは弾性的な回復力を生じる。外力がなくなる場合、ねじりばねによる弾性的な回復力が第二支持部材１４に作用し、第二支持部材１４が反時計方向ＣＣＷに沿って戻るようにする。図１を参照するに、底板１０の両側にはそれぞれストッパー１０２を有する。第二支持部材１４が戻る場合、ストッパー１０２は底板１０に対する第二支持部材１４の回転角度を制限し、支持装置１が展開状態にある場合、第一支持部材１２と第二支持部材１４の間の夾角を維持する。
【００１３】
図２乃至図４を参照するに、図２は図１における第一支持部材１２と第四支持部材２０の分解図であり、図３は図１における第一支持部材１２と第四支持部材２０の他の視点における分解図であり、図４は図１における第四支持部材２０が第一支持部材１２に対して収容位置に位置した状態を示す図である。図２を参照するに、第四支持部材２０は第一定位溝２００と第二定位溝２０２を有する。図３を参照するに、滑り槽１２２は定位部１２２０を有する。第四支持部材２０が滑り槽１２２の中でスライドし、滑り槽１２２の定位部１２２０が第四支持部材２０の第一定位溝２００に係合される場合、第四支持部材２０は滑り溝１２２の中に位置決められる。この場合、第四支持部材２０は図１に示された展開位置に位置する。第四支持部材２０が滑り槽１２２の中でスライドし、滑り槽１２２の定位部１２２０が第四支持部材２０の第二定位溝２０２に係合される場合、第四支持部材２０は滑り溝１２２の中に位置決められる。この場合、第四支持部材２０は図４に示された収容位置に位置する。
【００１４】
図１及び図４を参照するに、底板１０は複数の位置決め槽１０４を有する。第三支持部材１６の一端が底板１０上にある位置決め槽１０４のいずれか一つに係合される場合、位置決め槽１０４は第三支持部材１６を阻止し、第三支持部材１６が第一支持部材１２を底板１０上に支持するようにする。支持装置１を使用する際に、ユーザーは第三支持部材１６の一端を底板１０上にある位置決め槽１０４のいずれか一つと選択的に係合させる。これにより、第一支持部材１２に対する第三支持部材１６の回転角度を調整し、更に底板１０に対する第一支持部材１２の回転角度を調整することができる。
【００１５】
図５を参照するに、図５は図１における支持装置１の側面図である。図５に示されているように、ストッパー１０２は底板１０に対する第二支持部材１４の回転を制限し、第二支持部材１４と底板１０の間に夾角θ１が形成されるようにする。また、第三支持部材１６の一端は底板１０上にある位置決め槽１０４のいずれか一つと係合され、第一支持部材１２と底板１０の間に夾角θ２が形成されるようにし、第一支持部材１２と第二支持部材１４の間に夾角θ３が形成されるようにする。
【００１６】
図５を参照するに、支持装置１が展開状態である場合、電子装置２２は第一支持部材１２と第二支持部材１４の間の空間に配置される。即ち、第一支持部材１２と第二支持部材１４は電子装置２２が底板上に支持されるようにする。また、ユーザーは第三支持部材１６の一端を異なる位置決め槽１０４と係合させることで、第一支持部材１２と底板１０の夾角θ２及び第一支持部材１２と第二支持部材１４の夾角θ３を調整することができる。これにより、ユーザーは、必要に応じて電子装置２２の配置角度を調整することができる。実際の使用において、ユーザーは、異なる大きさの電子装置２２に応じて第四支持部材２０をスライドし、第四支持部材２０が図１に示された展開位置又は図４に示された収容位置に位置するようにすることで、電子装置２２を支持する支持面積を調整する。
【００１７】
図６を参照するに、図６は図１における支持装置１の収納状態を示す図である。図１に示されているように、底板１０は第一収容空間１００を有し、第一支持部材１２は第二収容空間１２０を有する。支持装置１の使用後、ユーザーは、支持装置１を図１の展開状態から図６の収納状態に収納することができる。まず、底板１０上にある位置決め槽１０４から第三支持部材の一端を分離する。次に、第三支持部材１６を第一支持部材１２に対して反時計方向ＣＣＷに回転し、第一支持部材１２を底板１０に対して時計方向ＣＷに回転して、第一支持部材１２と第三支持部材１６を第一収容空間１００内に収容する。次に、底板１０に対して第二支持部材１４を時計方向ＣＷに回転し、第二支持部材１４を第二収容空間１２０に収容する。この場合、支持装置１は図６に示されたような収納状態になる。
【００１８】
この実施例において、第一支持部材１２の両側にはそれぞれ第一突出部１２４及び第二突出部１２６を有し、それぞれ第三支持部材１６の一端及び第一支持部材１２の枢着箇所と隣接する。第三支持部材１６が外力により第一支持部材１２に対して反時計方向ＣＣＷに回転するとき、回転中、第一突出部１２４と第二突出部１２６は第三支持部材１６を外側へ突っ張る。この場合、第三支持部材１６は弾性変形によって、弾性的な回復力を生じる。外力がなくなる場合、この弾性的な回復力は第三支持部材１６が時計方向ＣＷに沿って戻るようにし、支持装置１が図１に示された展開状態になるようにする。
【００１９】
図７を参照するに、図７は本考案の別の実施例による支持装置１′の側面図である。図７及び図５を参照するに、支持装置１′と支持装置１の相異点は、第三支持部材１６が底板１０′に枢着され、第一支持部材１２′に複数の位置決め槽１０４が設けられる。第三支持部材１６の一端が第一支持部材１２′にある位置決め槽１０４のいずれか一つに係合される場合、位置決め槽１０４は第三支持部材１６を阻止し、第三支持部材１６が第一支持部材１２′を底板１０′上に支持するようにする。支持装置１′を使用する際に、ユーザーは第三支持部材１６の一端を第一支持部材１２′にある位置決め槽１０４のいずれか一つと選択的に係合させる。これにより、底板１０′に対する第三支持部材１６の回転角度を調整し、更に底板１０′に対する第一支持部材１２′の回転角度を調整することができる。
【００２０】
この実施例において、底板１０′も図１に示されているような第一収容空間１００を有し、第一支持部材１２′も図１に示されているような第二収容空間１２０を有する。支持装置１′の収納において、第一支持部材１２′にある位置決め槽１０４から第三支持部材１６の一端を分離する。次に、第三支持部材１６を底板１０′に対して反時計方向ＣＣＷに回転し、第一支持部材１２を底板１０′に対して時計方向にＣＷに回転して、第一支持部材１２′と第三支持部材１６を第一収容空間１０内に収容する。次に、第二支持部材１４を底板１０′に対して時計方向ＣＷに回転し、第二支持部材１４を第二収容空間１２０の中に収容する。この場合、支持装置１′は収納状態になる。なお、図７と図５において同様な符号はその動作もほぼ同様であるため、説明を省略する。
【００２１】
図８を参照するに、図８は本考案の実施例による支持装置１がキーボード３に収納される状態を示す図である。図８に示されているように、キーボード３はケーシング３０及び複数のキー３１を有する。キー３１はケーシング３０に設けられる。ケーシング３０は開口３００を有し、支持装置１は開口３００内に移動可能に設けられる。この実施例において、ケーシング３０は第一部ケーシング３２及び第二部ケーシング３４を含み、第一部ケーシング３２は第二部ケーシング３４に枢着される。第一部ケーシング３２と第二部ケーシング３４は互いに回転可能である。これにより、キーボード３は折り畳み可能であり、収納時の体積を減少することができる。尚、実際の使用において、開口３００は必要に応じて選択的に第一部ケーシング３２又は第二部ケーシング３４上に形成される。
【００２２】
図９を参照するに、図９は図８における支持装置１のキーボード３に対する展開状態を示す図である。ユーザーがキーボード３を使用して携帯型電子装置を操作する時、ユーザーはキーボード３の開口３００から支持装置１を引っ張って、図９に示されているように、支持装置１がキーボード３に対して展開状態になるようにする。この場合、ユーザーは携帯型電子装置を第一支持部材１２と第二支持部材１４の間の空間に配置することができる。使用後、図８に示されているように、ユーザーは上述の方法で支持装置１をキーボード３の開口３００内に収納することができる。
【００２３】
従来技術と比べ、本考案は支持装置を利用して携帯型電子装置を支持し、携帯型電子装置とキーボードを組み合わせて使用する場合、別の補助器具を必要せずに、携帯型電子装置とユーザーが適切な角度を取るようにすることができる。同時に、支持部材と収容空間の設置関係を利用して、使用しない場合は、支持装置をケーシングにある開口からキーボードに収納することができる。
【００２４】
上述の内容は本考案の最適実施例に過ぎず、本考案の請求項範囲に基づいて行った均等的な変更と修飾は、全て本考案の保護範囲内に属する。
【符号の説明】
【００２５】
１、１’              支持装置
３                  キーボード
１０、１０′        底板
１２、１２′        第一支持部材
１４                第二支持部材
１６                第三支持部材
１８                弾性部材
２０                第四支持部材
２２                電子装置
３０                ケーシング
３１                キー
３２                第一部ケーシング
３４                第二部ケーシング
１００              第一収容空間
１０２              ストッパー
１０４              位置決め槽
１２０              第二収容空間
１２２              滑り槽
１２４              第一突出部
１２６              第二突出部
２００              第一定位溝
２０２              第二定位溝
３００              開口
１２２０            定位部
θ１、θ２、θ３    夾角
ＣＷ                時計方向
ＣＣＷ              反時計方向
【図１】
0003165508.tif 000003
【図２】
0003165508.tif 000004
【図３】
0003165508.tif 000005
【図４】
0003165508.tif 000006
【図５】
0003165508.tif 000007
【図６】
0003165508.tif 000008
【図７】
0003165508.tif 000009
【図８】
0003165508.tif 000010
【図９】
0003165508.tif 000011
【手続補正書】
【提出日】平成22年11月11日(2010.11.11)
【手続補正１】
【補正対象書類名】実用新案登録請求の範囲
【補正対象項目名】全文
【補正方法】変更
【補正の内容】
【実用新案登録請求の範囲】
【請求項１】
支持装置であって、
第一収容空間を有する底板と、
前記底板に枢着され、第二収容空間を有する第一支持部材と、
前記底板に枢着される第二支持部材と、
前記第一支持部材又は前記底板に枢着される第三支持部材と、を含み、
前記支持装置が収納状態になる場合、前記第一支持部材は前記第一収容空間に収容され、前記第二支持部材は前記第二収容空間に収容され、
前記支持装置が展開状態になる場合、前記第一支持部材と前記第二支持部材は夾角を形成して電子装置を支持し、前記第三支持部材は前記第一支持部材を前記底板上に支持することを特徴とする支持装置。
【請求項２】
前記底板は、前記底板に対する前記第二支持部材の回転角度を制限するストッパーを有することを特徴とする請求項１に記載の支持装置。
【請求項３】
前記第三支持部材は前記第一支持部材に枢着され、前記底板は複数の位置決め槽を有し、前記第三支持部材の一端は選択的に前記複数の位置決め槽の内のいずれか一つに係合されて、前記第三支持部材の前記第一支持部材に対する回転角度を調整し、更に前記第一支持部材の前記底板に対する回転角度を調整することを特徴とする請求項１に記載の支持装置。
【請求項４】
前記第三支持部材は前記底板に枢着され、前記第一支持部材は複数の位置決め槽を有し、前記第三支持部材の一端は選択的に前記複数の位置決め槽の内のいずれか一つに係合されて、前記第三支持部材の前記底板に対する回転角度を調整し、更に前記第一支持部材の前記底板に対する回転角度を調整することを特徴とする請求項１に記載の支持装置。
【請求項５】
前記第一支持部材は滑り槽を有し、前記支持装置は更に第四支持部材を含み、前記第四支持部材はスライド可能に前記滑り槽に設けられることを特徴とする請求項１に記載の支持装置。
【請求項６】
前記第四支持部材は第一定位槽と第二定位槽を有し、前記滑り槽は定位部を有し、前記定位部は選択的に前記第一定位槽又は前記第二定位槽に係合されて、前記第四支持部材を前記滑り槽に位置決めすることを特徴とする請求項５に記載の支持装置。
【請求項７】
更に、弾性部材を含み、前記弾性部材の一端は前記第一支持部材に連結され、他端は前記第二支持部材に連結されることを特徴とする請求項１に記載の支持装置。
【請求項８】
前記弾性部材はねじりばねであることを特徴とする請求項７に記載の支持装置。
【請求項９】
前記第一支持部材の両側にはそれぞれ第一突出部及び第二突出部を有し、前記第三支持部材の回転中、前記第一突出部と前記第二突出部は前記第三支持部材を外側へ突っ張って、前記第三支持部材に弾性的な回復力を生じさせ、前記第三支持部材が戻るようにすることを特徴とする請求項１に記載の支持装置。
【請求項１０】
キーボードであって、
開口を有するケーシングと、
前記ケーシングに設けられた複数のキーと、
前記開口に移動可能に設けられた支持装置と、を含み、
前記支持装置は、
第一収容空間を有する底板と、
前記底板に枢着され、第二収容空間を有する第一支持部材と、
前記底板に枢着される第二支持部材と、
前記第一支持部材又は前記底板に枢着される第三支持部材と、を含み、
前記支持装置が収納状態になる場合、前記第一支持部材は前記第一収容空間に収容され、前記第二支持部材は前記第二収容空間に収容され、
前記支持装置が展開状態になる場合、前記第一支持部材と前記第二支持部材は夾角を形成して電子装置を支持し、前記第三支持部材は前記第一支持部材を前記底板上に支持することを特徴とするキーボード。
【請求項１１】
前記ケーシングは第一部ケーシングと第二部ケーシングを有し、前記第一部ケーシングは前記第二部ケーシングに枢着され、前記開口は選択的に前記第一部ケーシング又は前記第二部ケーシングに形成されることを特徴とする請求項１０に記載のキーボード。
【請求項１２】
前記底板は、前記底板に対する前記第二支持部材の回転角度を制限するストッパーを有することを特徴とする請求項１０に記載のキーボード。
【請求項１３】
前記第三支持部材は前記第一支持部材に枢着され、前記底板は複数の位置決め槽を有し、前記第三支持部材の一端は選択的に前記複数の位置決め槽の内のいずれか一つに係合されて、前記第三支持部材の前記第一支持部材に対する回転角度を調整し、更に前記第一支持部材の前記底板に対する回転角度を調整することを特徴とする請求項１０に記載のキーボード。
【請求項１４】
前記第三支持部材は前記底板に枢着され、前記第一支持部材は複数の位置決め槽を有し、前記第三支持部材の一端は選択的に前記複数の位置決め槽の内のいずれか一つに係合されて、前記第三支持部材の前記底板に対する回転角度を調整し、更に前記第一支持部材の前記底板に対する回転角度を調整することを特徴とする請求項１０に記載のキーボード。
【請求項１５】
前記第一支持部材は滑り槽を有し、前記支持装置は更に第四支持部材を含み、前記第四支持部材はスライド可能に前記滑り槽に設けられることを特徴とする請求項１０に記載のキーボード。
【請求項１６】
前記第四支持部材は第一定位槽と第二定位槽を有し、前記滑り槽は定位部を有し、前記定位部は選択的に前記第一定位槽又は前記第二定位槽に係合されて、前記第四支持部材を前記滑り槽に位置決めすることを特徴とする請求項１５に記載のキーボード。
【請求項１７】
前記支持装置は更に弾性部材を含み、前記弾性部材の一端は前記第一支持部材に連結され、他端は前記第二支持部材に連結されることを特徴とする請求項１０に記載のキーボード。
【請求項１８】
前記弾性部材はねじりばねであることを特徴とする請求項１７に記載のキーボード。
【請求項１９】
前記第一支持部材の両側にはそれぞれ第一突出部及び第二突出部を有し、前記第三支持部材の回転中、前記第一突出部と前記第二突出部は前記第三支持部材を外側へ突っ張って、前記第三支持部材に弾性的な回復力を生じさせ、前記第三支持部材が戻るようにすることを特徴とする請求項１０に記載のキーボード。